(57)【要約】【課題】背面のタッチセンサのスライド操作により表示中の画面を容易に縦方向または横方向にスクロールさせる。【解決手段】電子機器１は、表面および背面にタッチセンサ１２、１３を有し、背面のタッチセンサ１３がスライド操作されたことを検出すると、そのスライド操作のベクトルの縦横成分のうち、大きいベクトル成分の方向のみに表示中の画面をスライドさせる制御部を備える。【選択図】図１
2015106174.tif 000002
【特許請求の範囲】
【請求項１】
表面および背面にタッチセンサを有する電子機器であって、
背面のタッチセンサがスライド操作されたことを検出すると、そのスライド操作のベクトルの縦横成分のうち、大きいベクトル成分の方向のみに表示中の画面をスライドさせる制御部を備えることを特徴とする電子機器。
【請求項２】
前記制御部は、背面のタッチセンサに対するスライド操作のベクトル全体を、スライドさせる画面の移動量として用いることを特徴とする、請求項１に記載の電子機器。
【発明の詳細な説明】
【技術分野】
【０００１】
本発明は、表面および背面にタッチセンサを有する電子機器に関する。
【背景技術】
【０００２】
近年、ユーザによる接触を検知するタッチセンサを備えた携帯電話等の電子機器が増加している。接触の検出方式は、抵抗膜方式、静電容量方式等、種々の検出方式が知られており、いずれの方式もユーザの指やスタイラスペン等による接触物の接触を検出する。
【０００３】
また、表面に加え、背面にもタッチセンサを有する電子機器が知られている。例えば、特許文献１には、表面および背面にそれぞれ２つのタッチセンサを備え、使用状態に対応付けられた所定の対応関係に基づいて、第１背面または第２背面に対する入力を、第１表面または第２表面に対する入力として受け付けることにより、利便性を高めることが可能な携帯端末が記載されている。
【先行技術文献】
【特許文献】
【０００４】
【特許文献１】特開２０１２−２３０５６７号公報
【発明の概要】
【発明が解決しようとする課題】
【０００５】
背面にタッチセンサを有する電子機器を片手で操作する場合には、人差し指以外の４本の指と手のひらで電子機器の側面および背面を保持しながら、最も操作し易い人差し指で背面のタッチセンサを操作することになる。この場合、例えば、背面のタッチセンサを人差し指でなぞってスライド操作することにより、表示中の画面をスライド（スクロール）させる構成とすることが考えられる。
【０００６】
しかし、上記構成では、人差し指の動き易い範囲（方向）が電子機器の筐体に対して斜めになるので、例えばブラウザの画面において、ユーザがその画面を縦方向にスクロールさせようとしても、スライド操作が背面のタッチセンサに斜めに入力されて、画面が縦方向ではなく斜め方向に移動してしまうことがあり、そのスライド操作に器用な指の動きが要求されるという問題があった。
【０００７】
かかる事情に鑑みてなされた本発明の目的は、背面のタッチセンサのスライド操作により表示中の画面を容易に縦方向または横方向にスクロールさせることが可能な電子機器を提供することにある。
【課題を解決するための手段】
【０００８】
上記課題を解決するため、本発明に係る電子機器は、表面および背面にタッチセンサを有する電子機器であって、背面のタッチセンサがスライド操作されたことを検出すると、そのスライド操作のベクトルの縦横成分のうち、大きいベクトル成分の方向のみに表示中の画面をスライドさせる制御部を備えることを特徴とする。
【０００９】
また、本発明に係る電子機器において、前記制御部は、背面のタッチセンサに対するスライド操作のベクトル全体を、スライドさせる画面の移動量として用いることを特徴とする。
【発明の効果】
【００１０】
本発明によれば、背面のタッチセンサのスライド操作により表示中の画面を容易に縦方向または横方向にスクロールさせることができるようになる。
【図面の簡単な説明】
【００１１】
【図１】本発明の第１の実施形態に係る電子機器の概略構成を示すブロック図である。
【図２】本発明の第１の実施形態に係る電子機器の実装構造の一例を示す図である。
【図３】ユーザが電子機器を右手で保持した状態を示す図である。
【図４】本発明の第１の実施形態に係る電子機器の処理を示すフローチャートである。
【図５】本発明の第１の実施形態に係る電子機器の背面タッチセンサを人差し指でスライド操作する様子を示す図である。
【図６】本発明の第２の実施形態に係る電子機器の概略構成を示すブロック図である。
【図７】本発明の第２の実施形態に係る電子機器の実装構造の一例を示す図である。
【図８】本発明の第２の実施形態に係る電子機器の処理を示すフローチャートである。
【図９】本発明の第３の実施形態に係る電子機器の概略構成を示すブロック図である。
【発明を実施するための形態】
【００１２】
以下、本発明の実施形態について、図面を参照して詳細に説明する。
【００１３】
［第１の実施形態］
図１は、第１の実施形態に係る電子機器の概略構成を示すブロック図である。図１に示す例では、電子機器１は、表示部１１と、表面タッチセンサ１２と、背面タッチセンサ１３と、制御部１４と、記憶部１５と、通信部１６と、マイク１７と、スピーカ１８とを備える。
【００１４】
表示部１１は、文字、写真、操作用オブジェクト、ブラウザの画面等の画像を表示する。表示部１１は、液晶パネル（ＬＣＤ：Liquid Crystal Display）や有機ＥＬパネル（ＯＥＬＤ：Organic Electroluminescence Display）等を用いて構成される。例えばホーム画面では、表示部１１は、電話、メール、インターネット通信、カメラ撮影等の各操作を行うための操作用オブジェクトを表示させる。また、表示部１１は、例えばブラウザの画面に表示されるサイトの画面等、表示部１１に収まりきらない画面の一部を、縦方向、横方向および斜め方向に自由にスライド（スクロール）可能に表示することができる。
【００１５】
表面タッチセンサ１２は、表面タッチセンサ１２の入力面において、指の接触または接触の解除を検出する。そして、表面タッチセンサ１２は、入力面に対する接触位置を検出し、検出した接触位置を示す信号を制御部１４へ出力する。表面タッチセンサ１２は透明な部材で構成され、表示部１１の前面に重畳配置される。ユーザは透明の表面タッチセンサ１２を介して表示部１１の画像を視認し、表示部１１が表示する操作用オブジェクトの表示位置の表面タッチセンサ１２を操作することにより、電子機器１に所定の処理を実行させる。
【００１６】
背面タッチセンサ１３は、片手で電子機器１を操作する際の操作性を向上させるために電子機器１の背面に配置され、背面タッチセンサ１３の入力面において、指による接触または接触の解除を検出する。そして、背面タッチセンサ１３は、入力面に対する接触位置を検出し、検出した接触位置を示す信号を制御部１４へ出力する。
【００１７】
表面タッチセンサ１２および背面タッチセンサ１３は、例えば、抵抗膜方式、静電容量方式等の周知の方式で実現される。
【００１８】
制御部１４は、表面タッチセンサ１２から入力される信号により表面タッチセンサ１２の操作を検出すると、その操作に応じた制御を行う。例えば制御部１４は、表示部１１に表示する操作用オブジェクトの表示位置の表面タッチセンサ１２が操作されると、その接触位置に表示されている操作用オブジェクトに応じた制御を行う。
【００１９】
また、制御部１４は、背面タッチセンサ１３から入力される信号により背面タッチセンサ１３の操作を検出すると、その操作に応じた制御を行う。例えば制御部１４は、背面タッチセンサ１３から入力される信号により背面タッチセンサ１３がスライド操作されたことを検出すると、そのスライド操作のベクトルの縦横成分の大小を比較し、スライド操作のベクトルの縦横成分のうち、大きいベクトル成分の方向のみに表示部１１に表示中の画面をスライドさせる制御を行う。このとき、制御部１４は、背面タッチセンサ１３に対して行われたスライド操作の大きい方のベクトル成分ではなく、そのスライド操作のベクトル全体を、スライドさせる画面の移動量（スライド量）として用いる。
【００２０】
ここで、タッチセンサ１２、１３の操作とは、タッチ、タップ、ダブルタップ、スライド、ドラッグ、フリック、タッチアンドホールド、ピンチイン／ピンチアウト等の、指をタッチセンサ１２、１３に接触させるあらゆる操作をいう。なお、タッチとは指を押し付ける操作、タップとは指で軽く触れる操作、ダブルタップは２回続けてタップする操作、スライドはタッチセンサ１２、１３上のある位置から他の位置に向けて指で触れたままなぞる操作、ドラッグは指で触れたままなぞり離す操作、フリックは指で軽くはじく操作、タッチアンドホールドはタッチしたままにする操作、ピンチイン／ピンチアウトは２本の指で摘んだり広げたりする操作のことである。
【００２１】
記憶部１５は、半導体メモリ等で構成することができ、各種情報や電子機器１を動作させるためのプログラム等を記憶するとともに、ワークメモリとしても機能する。
【００２２】
通信部１６は、基地局または他の通信機器と無線により通信することを可能にする。
【００２３】
マイク１７は、ユーザの発話等の周囲の音を集音する。マイク１７が集音した音は、電気信号に変換して制御部１４に送られる。
【００２４】
スピーカ１８は、音声、音楽、着信音等の音を出力する。
【００２５】
図２は、第１の実施形態に係る電子機器１の実装構造の一例を示す図である。図２（ａ）は正面図であり、図２（ｂ）は図２（ａ）におけるＡ−Ａ線に沿った断面図であり、図２（ｃ）は背面図である。
【００２６】
なお、図２においては、筐体１０、表示部１１、表面タッチセンサ１２、背面タッチセンサ１３、および接合部材４０以外の要素の図示は省略している。電子機器１は、図２に示した以外にも、制御部１４を備えるとともに、例えば、基板、各種部品等の要素を備えることができる。また、典型的にはマイク１７は表面タッチセンサ１２の下部に配置され、スピーカ１８は表面タッチセンサ１２の上部に配置される。
【００２７】
図２に示すように、表面タッチセンサ１２は筐体１０（例えば、金属や樹脂のケース）の表面１０ａに配置され、筐体１０に支持される。
【００２８】
表示部１１は、筐体１０の内部に配置される。例えば、表示部１１を表面タッチセンサ１２の裏面に接着してもよいし、筐体1０の内部に直接固定するか、筐体１０の内部配置される基板または表示部用ホルダ等に固定してもよい。図２では、表示部１１は、接合部材４０を介して表面タッチセンサ１２に接着されている。図２（ｂ）に示すように、表示部１１を、表面タッチセンサ１２の裏面側に配置すれば、表面タッチセンサ１２および表示部１１によりタッチパネルを構成する際に、表示部１１に自由なユーザインタフェースを表示して、ユーザの操作を表面タッチセンサ１２により検出することができる。なお、接合部材４０は、熱硬化性あるいは紫外線硬化性等を有する接着剤や両面テープ等であり、例えば無色透明のアクリル系紫外線硬化型接着剤である光学弾性樹脂でもよい。
【００２９】
背面タッチセンサ１３は、電子機器１を片手で保持した際に、人差し指で接触可能な範囲を含むように、筐体１０の背面１０ｂに配置され、筐体１０に支持される。例えば、図２（ｂ）（ｃ）に示すように、背面タッチセンサ１３は筐体１０の背面１０ｂの上部に配置される。
【００３０】
図３は、ユーザが電子機器１を右手で保持した状態を示す図である。図３（ａ）は表面側から見た図であり、図３（ｂ）は背面側から見た図である。図３（ｂ）に示すように電子機器１を右手で保持すると、人差し指は背面タッチセンサ１３上に位置する。よって、ユーザは人差し指を折り曲げたり左右に動かしたりするだけで他の指は動かすことなく容易に背面タッチセンサ１３を操作（タッチ、タップ、ダブルタップ、ドラッグ、フリック、タッチアンドホールド等）することができる。なお、本実施形態では、背面タッチセンサ１３を人差し指が接触可能な位置に限定して配置しているが、より広範囲にわたって配置させてもよい。
【００３１】
次に、本発明に係る電子機器１による処理を説明する。図４は、第１の実施形態に係る電子機器１の処理を示すフローチャートである。
【００３２】
制御部１４は、表面タッチセンサ１２から入力される信号により表面タッチセンサ１２の所定の操作を検出すると（ステップＳ１０１−Ｙｅｓ）、接触位置に表示されている操作用オブジェクトに応じた制御を行う（ステップＳ１０２）。例えば、表示部１１がインターネット接続を開始させるためのブラウザアイコンを表示している場合に、表面タッチセンサ１２によりブラウザアイコンの表示位置におけるタップを検出すると、通信部１６によりインターネット接続を開始させ、所定のＵＲＬにアクセスし、表示部１１に表示されたブラウザ画面に取得したサイト画面を表示させる。ステップＳ１０２による処理が、電子機器１のブラウザを終了させる処理であった場合には（ステップＳ１０３−Ｙｅｓ）、処理を終了して、例えば表示部１１にホーム画面（待ち受け画面）を表示させる。
【００３３】
また、制御部１４は、背面タッチセンサ１３から入力される信号により背面タッチセンサ１３が操作されたことを検出すると（ステップＳ１０４−Ｙｅｓ）、表示部１１に表示中の画像に対して所定の処理を行う（ステップＳ１０５）。ステップＳ１０５の制御の具体例について、以下に説明する。
【００３４】
図５は、電子機器１の背面タッチセンサ１３を人差し指でスライド操作する様子を示す図である。
【００３５】
表示部１１は、例えばこの電子機器１がインターネットに接続されたときには、ブラウザにより開かれたあるサイトの画面の一部を表示することができる。この場合、ユーザは、背面タッチセンサ１３をスライド操作することにより、表示部１１に表示中のブラウザの画面をスライド（スクロール）させて、当該サイトの所望の部分を表示部１１に表示させることができる。
【００３６】
しかし、ユーザが、表示部１１に表示されている画面を縦方向または横方向にスクロールさせるために背面タッチセンサ１３を縦方向または横方向にスライド操作しようとしても、そのスライド操作が背面タッチセンサ１３に斜めに入力されて画像が斜め方向にスライドしてしまうことがある。例えば、ユーザが、表示部１１に表示中のブラウザの画面を下方に向けてスクロールさせるために、図５（ａ）に示す初期状態から、図５（ｂ）に示すように指先を立てる方法で背面タッチセンサ１３を縦方向下側に向けてスライド操作しようとしても、人差し指の指先が縦方向に対して斜めに移動して画面が斜め下方向にスライドしてしまうことがある。また、ユーザが、表示部１１に表示中の画面を横方向にスクロールさせるために、図５（ａ）に示す初期状態から、図５（ｃ）に示すように人差し指を横方向に移動させて背面タッチセンサ１３を横方向に向けてスライド操作しようとしても、人差し指の指先が横方向に対して斜めに移動して画面が斜め横方向にスライドしてしまうことがある。
【００３７】
そこで、本発明に係る電子機器１では、背面タッチセンサ１３がスライド操作されたときに、そのスライド操作のベクトルの縦横成分を解析し、これらのベクトルの縦横成分のうち、大きいベクトル成分の方向のみに表示中の画面をスライドさせるようにして、ユーザが表示部１１に表示中の画面を縦方向または横方向にスクロールさせようとしたときに、当該画面が不意に斜め方向へスライドすることを防止することを可能とする。
【００３８】
例えば、図５（ｂ）に示す場合では、背面タッチセンサ１３に対するスライド操作のベクトルｖはその横成分ｖｘよりも縦成分ｖｙの方が大きいので、制御部１４は表示部１１に表示される画面を縦方向のみにスライドさせる制御を行って当該画像を縦方向にスクロールさせる。また、図５（ｃ）に示す場合では、背面タッチセンサ１３に対するスライド操作のベクトルｖはその縦成分ｖｙよりも横成分ｖｘの方が大きいので、制御部１４は表示部１１に表示される画面を横方向のみにスライドさせる制御を行って当該画像を横方向にスクロールさせる。このような制御により、ユーザが表示部１１に表示される画面を縦方向または横方向にスクロールさせるために背面タッチセンサ１３を縦方向または横方向にスライド操作すると、その操作方向が縦方向または横方向に対してある程度の角度で斜めにずれたとしても、画面を縦方向または横方向に確実にスクロールさせることができる。したがって、この電子機器１によれば、背面タッチセンサ１３のスライド操作により表示部１１に表示中の画面を容易に縦方向または横方向にスクロールさせることが可能となる。
【００３９】
上記のように、制御部１４は背面タッチセンサ１３に入力されたスライド操作のベクトルの縦横成分のうち、大きい方のベクトル成分の方向のみに表示中の画面をスライド（スクロール）させるが、そのスライドさせる画面の移動量としては、スライド操作における大きい方のベクトル成分ではなく、そのスライド操作のベクトル全体を用いる。例えば、図５（ｂ）に示す場合では、スライド操作のベクトルｖの縦横成分のうち縦成分ｖｙの方が大きいので、制御部１４は画面を縦方向にスライドさせる制御を行うが、その画面の移動量としてはスライド操作のベクトルｖの全体を用いる。また、図５（ｂ）に示す場合では、スライド操作のベクトルｖの縦横成分のうち横成分ｖｘの方が大きいので、制御部１４は画面を横方向にスライドさせる制御を行うが、その画面の移動量としてはスライド操作のベクトルｖの全体を用いる。画面のスライド方向にかかわらず、その移動量として背面タッチセンサ１３に対するスライド操作のベクトル全体を用いることにより、背面タッチセンサ１３に入力した操作量（指の移動量）に対応した移動量で画面をスライドさせることができる。したがって、この電子機器１の操作性をさらに高めることができる。
【００４０】
なお、制御部１４は、背面タッチセンサ１３に入力されるスライド操作の方向が縦方向または横方向に対して所定角度以上に傾斜したことを検出した場合、つまり背面タッチセンサ１３に入力されるスライド操作のベクトル成分比率が一定の範囲内（例えば大きい方のベクトル成分が６０％以下）であることを検出した場合に、表示部１１に表示中の画面をスライド操作に対応した斜め方向にスライドさせる構成とすることもできる。この制御により、背面タッチセンサ１３を意図的に斜め方向にスライド操作することで、表示部１１に表示中の画面を斜め方向にスライドさせることが可能となる。
【００４１】
［第２の実施形態］
次に、本発明の第２の実施形態について説明する。図６は、本発明の第２の実施形態に係る電子機器の概略構成を示すブロック図である。第２の実施形態に係る電子機器２は、第１の実施形態に係る電子機器１と比較して、更に押圧検出部２０を備える。その他の構成については第１の実施形態と同一であるため、同一の参照番号を付して説明を省略する。
【００４２】
押圧検出部２０は、背面タッチセンサ１３に対してユーザが操作を行う際の押圧を検出し、押圧に基づくデータを制御部１４に出力する。押圧検出部２０は、例えば、押圧に応じて物理的または電気的な特性（歪み、抵抗、電圧等）が変化する歪みゲージセンサや圧電素子等を用いて構成される。押圧検出部２０が、例えば圧電素子を用いて構成された場合、押圧検出部２０の圧電素子は、背面タッチセンサ１３に対する押圧による荷重（力）の大きさ（または、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００４３】
また、押圧検出部２０は、表面タッチセンサ１２に対してユーザが操作を行う際の押圧を同様にして検出してもよい。
【００４４】
制御部１４は、押圧検出部２０から背面タッチセンサ１３（および表面タッチセンサ１２）に対する押圧に基づくデータを取得する。そして、制御部１４は、押圧に基づくデータが例えば所定の閾値以上である等、所定の基準を満たす場合に、所定の操作が行われたと判断し、操作内容に応じて例えばアプリケーションに基づく等して、所定の処理を行うように制御する。例えば、制御部１４は、背面タッチセンサ１３に対する押圧データが所定の閾値以上となったときに背面タッチセンサ１３のスライド操作が開始されたと判断し、押圧データが所定の閾値以下となったときに背面タッチセンサ１３のスライド操作が終了されたと判断する。
【００４５】
また、押圧検出部２０は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２０を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００４６】
図７は、第２の実施形態に係る電子機器２の実装構造の一例を示す図である。図７（ａ）は正面図であり、図７（ｂ）は図７（ａ）におけるＡ−Ａ線に沿った断面図であり、図７（ｃ）は背面図である。図７は、図２に示した電子機器１の実装構造に対して、更に押圧検出部２０を構成する圧電素子２１〜２４を図示している。なお、圧電素子の個数や配置位置は、図示した例に限定されるものではない。
【００４７】
図７に示す例では、押圧検出部２０は、第１圧電素子２１、第２圧電素子２２、第３圧電素子２３、および第４圧電素子２４を有し、第１圧電素子２１および第２圧電素子２２により、背面タッチセンサ１３に対してユーザが操作を行う際の押圧を検出し、第３圧電素子２３および第４圧電素子２４により、表面タッチセンサ１２に対してユーザが操作を行う際の押圧を検出する。
【００４８】
なお、図７（ａ）において、表面タッチセンサ１２上において表示部１１による表示を透過させる必要がない領域、すなわち、表面タッチセンサ１２と表示部１１とが重ならない領域は、表面タッチセンサ１２の端辺付近の領域を塗装したりベゼルで覆ったりするのが好適である。このようにすれば、第３圧電素子２３および第４圧電素子２４等が電子機器１の外部から見えてしまうことを防ぐことができる。
【００４９】
次に、本発明に係る電子機器２による処理を説明する。図８は、第２の実施形態に係る電子機器２の処理を示すフローチャートである。
【００５０】
制御部１４は、表面タッチセンサ１２から入力される信号により表面タッチセンサ１２の所定の操作を検出すると（ステップＳ２０１−Ｙｅｓ）、押圧検出部２０から表面タッチセンサ１２に対する押圧に基づくデータを取得する（ステップＳ２０２）。そして、制御部１４は、取得した押圧に基づくデータが所定の閾値を満たしたか否かを判定し（ステップＳ２０３）、押圧に基づくデータが所定の閾値を満たした場合に（ステップＳ２０３−Ｙｅｓ）、表面タッチセンサ１２の押圧操作が行われたと判断し、押圧位置に表示されている操作用オブジェクトに応じた制御を行う（ステップＳ２０４）。ステップＳ２０４による処理が、アプリケーションやメニュー等を終了させる処理であった場合には（ステップＳ２０５−Ｙｅｓ）、処理を終了して、例えば表示部１１にホーム画面（待ち受け画面）を表示させる。
【００５１】
また、制御部１４は、背面タッチセンサ１３から入力される信号により背面タッチセンサ１３の所定の操作を検出すると（ステップＳ２０６−Ｙｅｓ）、押圧検出部２０から背面タッチセンサ１３に対する押圧に基づくデータを取得する（ステップＳ２０７）。そして、制御部１４は、取得した押圧に基づくデータが所定の閾値（基準）を満たしたか否かを判定し（ステップＳ２０８）、押圧に基づくデータが所定の閾値を満たした際に（ステップＳ２０８−Ｙｅｓ）、背面タッチセンサ１３の操作が行われたと判断し、表示部１１に表示中の画像に対して所定の処理を行う（ステップＳ２０９）。所定の処理については、第１の実施形態で説明した通りである。
【００５２】
なお、押圧に基づくデータが所定の閾値を満たした際とは、押圧に基づくデータが所定の基準値に達した際であってもよいし、押圧に基づくデータが所定の基準値を超えた際でもよいし、所定の基準値と等しい押圧に基づくデータが検出された際でもよい。
【００５３】
上述したように、第２の実施形態に係る電子機器２は、押圧検出部２０を更に備え、制御部１４は、押圧に基づくデータが所定の閾値を満たした場合に、表示中の画面（画像）やオブジェクトに対して所定の処理を行う。そのため、電子機器２は、他の物体と軽く接触しただけでユーザによる操作が行われたと判断することを防止できる。特に、電子機器を保持する際には背面１０ｂに指が接触するが、押圧検出部２０によって押圧を検出することにより、ユーザが操作を意図していないのにもかかわらず背面タッチセンサ１３を操作したものと誤判断することを防止できる。
【００５４】
［第３の実施形態］
次に、本発明の第３の実施形態について説明する。図９は、本発明の第３の実施形態に係る電子機器の概略構成を示すブロック図である。第３の実施形態に係る電子機器３は、第２の実施形態に係る電子機器２と比較して、更に触感呈示部３０を備える。その他の構成については第２の実施形態と同一であるため、同一の参照番号を付して説明を省略する。
【００５５】
触感呈示部３０は、制御部１４から供給される駆動信号に基づいて所定の振動を発生する。駆動信号については、表現したいリアルなボタンが挙動する振動を、指が接触する位置において表現する駆動信号であればよい。
【００５６】
触感呈示部３０は、圧電素子、超音波振動子、または振動モータ（偏心モータ）等を用いて構成され、所定の振動パターンによる振動を発生させることにより、背面タッチセンサ１３を押圧しているユーザの指に対して触感を呈示し、ユーザに背面タッチセンサ１３を操作したことを感覚的に通知する。触感呈示部３０は、機械的な振動を使わずに、背面タッチセンサ１３上に貼ったフィルムの電荷を制御する等により、背面タッチセンサ１３を押圧しているユーザの指に対して触感を呈示してもよい。
【００５７】
また、触感呈示部３０は、表面タッチセンサ１２に対しても、同様にして振動を発生させて、表面タッチセンサ１２を押圧しているユーザの指に対して触感を呈示するようにしてもよい。
【００５８】
なお、触感呈示部３０は、押圧検出部２０と一体化して構成することもできる。特に、圧電素子を用いて押圧検出部２０および触感呈示部３０を構成する場合は、圧電素子を共用することもできる。圧電素子は、圧力が加わると電圧を発生し、電圧が加えられると変形するためである。この場合の実装構造例は、図７に示した通りである。
【００５９】
圧電素子を用いて押圧検出部２０および触感呈示部３０を構成する場合、制御部１４は、圧電素子の電圧値が所定の閾値を満たした際に、所定の処理を行うとともに、該圧電素子を駆動することにより振動を発生させるようにしてもよい。ここで、圧電素子の電圧値が所定の閾値を満たした際とは、電圧値が所定の基準値に達した際であってもよいし、電圧値が所定の基準値を超えた際でもよいし、所定の基準値と等しい電圧値が検出された際でもよい。
【００６０】
上述したように、第３の実施形態に係る電子機器３は、触感呈示部３０を更に備え、制御部１４から供給される駆動信号に基づいて所定の振動を発生する。そのため、電子機器３は、ユーザが背面タッチセンサ１３（および表面タッチセンサ１２）を操作した際に、意図した操作が行われたことを感覚的にユーザに通知することができる。
【００６１】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００６２】
１，２，３  電子機器
１１        表示部
１２        表面タッチセンサ
１３        背面タッチセンサ
１４        制御部
１５        記憶部
１６        通信部
１７        マイク
１８        スピーカ
２０        押圧検出部
２１        第１圧電素子
２２        第２圧電素子
２３        第３圧電素子
２４        第４圧電素子
３０        触感呈示部
４０        接合部材
【図１】
2015106174.tif 000003
【図２】
2015106174.tif 000004
【図３】
2015106174.tif 000005
【図４】
2015106174.tif 000006
【図５】
2015106174.tif 000007
【図６】
2015106174.tif 000008
【図７】
2015106174.tif 000009
【図８】
2015106174.tif 000010
【図９】
2015106174.tif 000011